(57)【要約】【課題】  空気中の有害物質の分解・抗菌消臭・マイナスイオン発生及び遠赤外線効果を発する天然鉱石を主原料にした組成物を提供することにより、その組成物を用いた二次加工製品（衣類・紙及びプラスチック製品など）は、人体へも悪影響を与えず、環境汚染を防止することができる。【解決手段】本発明の組成物は珪酸塩鉱石とセリウム塩を含む。【選択図】なし【特許請求の範囲】
【請求項１】
珪酸塩鉱石と、セリウム塩とを含む空気清浄機能及び各種衛生的機能をもつ組成物
【請求項２】
さらに、硅砂を含む請求項１に記載の空気清浄機能及び各種衛生的機能をもつ組成物
【請求項３】
さらに、請求項１または請求項２を練り込んだ各種衛生的機能を持つ加工糸
【請求項４】
請求項１ないし２に所望の量の水を添加して得られる水溶液
【請求項５】
請求項４の水溶液をポリエステル、レーヨン、アクリル、ナイロン、ケナフ、紙の各シートを含浸、噴霧、又は塗布した後、熱風乾燥させた消臭・抗菌・保温等各種衛生的機能を持つことを特徴とする珪酸塩鉱石を主原料とした水溶液により加工した加工シート。
【請求項６】
請求項４の水溶液をポリエステル製、レーヨン製、アクリル製、又は、ナイロン製の糸を含浸、噴霧、又は塗布した後、熱風乾燥させた消臭・抗菌・保温等各種衛生的機能を持つことを特徴とする珪酸塩鉱石を主原料とした水溶液により加工した加工糸。
【発明の詳細な説明】
【技術分野】
【０００１】  この発明は、空気中の有害物質の分解・抗菌消臭・マイナスイオン発生及び遠赤外線効果を発する天然鉱石を主原料にした組成物の使用方法に関する。
【背景技術】
【０００２】  近年、環境問題に対する関心がますます高まっており、住空間環境の問題であればホルマリン（ホルムアルデヒド）、揮発性有機溶剤などの有害物質の除去方法や、電磁波症候群に対する各種対策が種々検討されてきている。例えば、内装塗料に酸化チタン等の有害物質の分解作用を持つ基材を配合して、壁紙などの表面に塗布するなどが行われている。【０００３】  また、近年問題になっているが、日本では原因が明確にならずに中々対応がされないが、電磁波症候群に対して電気毛布等を使用する直前まで通電をして使用直前にコンセントから抜く等の対策をしたり、遠赤外線効果を持つ組成物により保温効果をあげると言う対策をしたりしている。【０００４】  さらにまた、室内で発生する臭気を除去する必要もある。臭気の除去方法としては、例えば活性炭などに臭気原因物質を吸収させる方法や空気清浄機等を用いて臭気を除去する方法が行われている。【０００５】  さらに、マイナスイオンは、人体の精神衛生上の好影響を与えることが知られている。マイナスイオンを発生する室内用建築材料が提案されている（例えば、特許文献１参照）
【特許文献１】特開２００４−１３７７６４号公報
【発明の開示】
【発明が解決しようとする課題】
【０００６】  しかし、有害物質を吸着剤で吸着する方法では、有害物質自体は消滅せずに吸着剤の中に存在するので、好ましくはない。【０００７】  また、酸化チタンは光触媒であって、直射日光またはブラックライトが照射されたときに触媒機能が有効になり２４時間どこであっても触媒機能が有効な状態になると言うことは難しいという問題点がある、また酸化チタンの製造工程において公害をもたらし、酸化チタン製造において高額なコストがかかるなどの実質上環境問題を完全にクリアできるものではない。【０００８】  また、臭気原因物質を吸着剤で吸収する方法では、脱臭効果の持続時間が短く吸着物質が再放出されるという問題がある。さらに、空気清浄機を用いる場合には、モータ等の駆動のために、電気を使用するので、コスト上の問題がある。【０００９】  さらにまた、電磁波［プラスイオン］がもたらす人体への悪影響について、欧米諸国ではかなり問題視されている現状であるが、電磁波症候群に対する対応は皆無に近い状態である。シックハウス症候群同様近い将来大きな問題となってくると思われる。電磁波症候群の予防とは電気を身近で使用しないことが一番の対策である。ゆえに前項の空気清浄機を使用するのはモータ駆動のために、電気を使用するのでコスト上の問題とあったがコストのみではなく、身近でモータを駆動させるため電磁波の人体への悪影響の問題もある。【００１０】  また、電磁波症候群は電気毛布・電気コタツなど人体に密着して通電する機器では電磁波を完全に遮断しないと、人体に悪影響を及ぼす。
この電磁波症候群は、花粉症等のように免疫機能が蓄積され、あふれた状態になると人は微量の電磁波に反応し、電磁波症候群の症状が発症する。街中にはエスカレーター・エレベータ又は自動ドアなど電磁波が氾濫している、電磁波症候群になり微量の電磁波に反応してしまうようになると通常の生活ができなくなると言う問題がある。【００１１】  または、人工的に作り出された物が多く廃棄時点で産業廃棄物として処理をしなければいけないものが増えて、ダイオキシン問題など地球的規模で環境汚染が問題となっている。【００１２】  すなわち、本発明は、上記問題に鑑みなされたものであり、その目的は、室内で極めて良好にマイナスイオンを発生させることができ、防菌・防かび効果に優れ、臭気成分や有害物質を吸着分解し、その上遠赤外線の放射体を含有することにより電気を使わずに保温効果をあげる繊維・紙又はプラスチック等に含浸をさせることができる組成物を提供することにある。
【課題を解決するための手段】
【００１３】  以上の課題を解決するために、本発明の組成物は、石英斑岩と、珪酸塩鉱石と、セリウム塩とを含む。【００１４】  本発明の組成物は、主にマイナスイオン効果を有する珪酸塩鉱物と、抗菌・抗カビ作用を有し、マイナスイオン効果を有するセリウム塩とを含有する。この結果、本発明の組成物を含浸させた製品がある周辺では、極めて良好にマイナスイオンを発生させることができる。また、防菌・防かび効果に優れる。さらに、超多孔質の石英斑岩が吸着臭気成分や有害物質を吸着し、マイナスイオンの力でこれらを分解するので、脱臭効果が持続する。さらにまた、本発明の組成物は粉状にも水溶液にもできるため製品の開発に利用するにあたり、加工が容易である。【００１５】  また、本発明の組成物は、マイナスイオン効果により人体に悪影響を及ぼす電磁波［プラスイオン］を中和する効果もある。その上珪酸塩鉱石の持つ遠赤外線の放射により、電気を使わずに保温効果を発することができるため、電磁波症候群の予防にもなる。【００１６】  本発明の組成物を、紡績の段階で煉りこむことにより消臭・抗菌・保温及びマイナスイオン発生等の機能を持つ尚且つ公害をもたらさない生地が出来上がり、衣類（下着・靴下等）やカーテンなどあらゆる繊維製品が出来上がる。【００１７】  さらにまた、本発明の組成物を廃棄する段階で土に埋めることにより、その場所の土壌が改良される。産業廃物が増える今日、この環境汚染問題を防止することができる。
【発明を実施するための最良の形態】
【００１８】［珪酸塩鉱石］
本発明で使用される珪酸塩鉱石は、酸化珪素含有率が９９。４％以上の酸化珪素含有率の高い天然鉱石である。この珪酸塩鉱石は、トルマリンと同様に外部から圧力を受けたり温度変化が与えられたりすると、その表面に電荷を生じる。この結果、マイナスイオンを発生すると推定される。【００１９】［セリウム塩］
セリウム塩は、抗菌・抗カビ効果を有し、また、酸化セリウムは、酸素保存の機能をも持つ。セリウムは酸素を放出し、一酸化炭素、窒素酸化物（ＮＯｘ）などの有害ガスを二酸化炭素へと変換し、窒素酸化物の形成量を減少する機能を有する。この機能により、有害物質（臭気物質を酸化分解すると考えられる。